(57)【特許請求の範囲】
【請求項１】
複数の風力タービン（１００）および／または風力発電所（１１２）のデータ記録をコントロールセンタ（１４）へ伝送する方法であって、
−更新されたデータ記録の通知（３２）を、前記風力タービン（１００）または前記風力発電所（１１２）から前記コントロールセンタ（１４）へ送出するステップと、
−前記コントロールセンタ（１４）によって、前記更新されたデータ記録が要求されるべきであるか否かを決定し、前記更新されたデータ記録が要求されるべきである場合には、
−前記風力タービン（１００）または前記風力発電所（１１２）の前記更新されたデータ記録の要求（３４）を、前記コントロールセンタ（１４）から発信する（３５）ステップと、
−前記風力タービン（１００）または前記風力発電所（１１２）によって前記要求（３４）を受信（３６）するステップと、
−前記風力タービン（１００）または前記風力発電所（１１２）から前記コントロールセンタ（１４）に対して、前記更新されたデータ記録を持つ応答（３８）を発信するステップと、
を備え、
前記コントロールセンタ（１４）が前記更新されたデータ記録が要求されるべきものであるか否かを決定することができるように、最後の前記データ記録を持つ最後の応答（３８）の受信（４０）または要求（３４）の最後の発信（３５）以降、前記風力タービン（１００）または前記風力発電所（１１２）に割り当てられた時間間隔が経過したか否かを確認するためのチェックが実行され、
−前記時間間隔が経過した場合、前記更新されたデータ記録の要求（３４）が発信され、
−前記時間間隔が未だ経過していない場合、前記更新されたデータ記録の前記通知（３２）は無視される、
方法。
【請求項２】
接続部（１６）によって前記コントロールセンタ（１４）に接続可能な前記風力タービン（１００）および／または前記風力発電所（１１２）のそれぞれに時間間隔が割り当てられ、前記時間間隔は、可変である、
請求項１に記載の方法。
【請求項３】
前記時間間隔のそれぞれの持続時間は、前記コントロールセンタ（１４）によって自動的に調整される、あるいは、前記時間間隔は、手動で調整される、
請求項１または２に記載の方法。
【請求項４】
デフォルト条件（４２）における前記風力タービン（１００）または前記風力発電所（１１２）の前記時間間隔は、デフォルト持続時間を含み、前記風力タービン（１００）または前記風力発電所（１１２）からの少なくとも1つのデータ記録を要求（４３）することにより、ユーザによって、前記時間間隔が短縮、または所定の最小値、すなわち最小時間に調整される、
請求項３に記載の方法。
【請求項５】
更新されたデータ記録の通知（３２）の発信（３１）および応答（３８）の発信（３９）は、それぞれの場合に前記風力タービン（１００）、またはそれぞれの場合に前記風力発電所（１１２）、特に、監視制御データ取得システム、すなわちＳＣＡＤＡシステムのコンピュータに割り当てられたコンピュータ（１０）によって実行される、
請求項１から４のいずれかに記載の方法。
【請求項６】
前記コンピュータ（１０）は、入ってくる要求を連続的に処理し、往復遅延または信号通過時間を決定するために、前記コントロールセンタ（１４）においてサイクルが実行され、前記サイクルは所定の周波数で繰り返され、前記往復遅延または前記コントロールセンタ（１４）と前記コンピュータ（１０）の間の前記信号通過時間が、各サイクルにおいて前記コントロールセンタ（１４）によって決定され、
−前記コントロールセンタ（１４）から前記コンピュータ（１０）の１つへの往復遅延または信号通過時間を決定するために所定のデータパケットが送信され、
−前記コンピュータ（１０）は、以前に受信したデータパケットが処理された後で前記データパケットを処理し、前記コンピュータ（１０）は、前記処理中または前記処理後に、前記コントロールセンタ（１４）へ応答を発信し、
−前記コントロールセンタ（１４）は、前記データパケットの発信と前記応答の受信との間の時間間隔を決定し、
−前記時間間隔の持続時間は、各サイクルにおいて、測定された前記時間間隔に依存して、調整されたまま、すなわち、変更されないまま、短縮されたまま、あるいは延長されたままにされる、
請求項５に記載の方法。
【請求項７】
前記風力タービン（１００）または前記風力発電所（１１２）に割り当てられた時間間隔を調整するために、前記コントロールセンタ（１４）は、発信された前記要求（３４）と前記受信した応答（３８）の数の差、したがってまだ応答されていない数を決定（４８）し、この差に応じて、前記時間間隔は、調整される、すなわち変更されない、短縮される、あるいは延長される、
請求項６に記載の方法。
【請求項８】
前記差を決定するための各サイクル（４４）において、各ケースにおいて、前記差が決定（４８）され、前記サイクル（４４）は、所定の周波数で繰り返される、または、更新されたデータ記録の通知（３２）が受信されるたびに実行される、
請求項７に記載の方法。
【請求項９】
前記持続時間は、前記差を決定するための各サイクル（４４）において調整され、前記決定に続いて、前記差は、上限および下限の閾値と比較（５０，５４）され、前記上限の閾値に達するか超える場合には、前記時間間隔は、予め定められたステップ幅だけ延長（５８）され、前記下限の閾値値に達するか過小になる場合には、前記時間間隔は予め定められたステップ幅だけ短縮（５２）される、
請求項８に記載の方法。
【請求項１０】
前記時間間隔が予め定義された最大時間間隔に対応するまたはこの最大時間間隔を超えるか否かを確立するために、前記差を決定するための各サイクルにおいて、チェックが実行（５６）され、前記最大時間間隔に達するまたは超えると、警報信号が発信（６０）される、
請求項９に記載の方法。
【請求項１１】
請求項１から１０のいずれか１項に記載の方法を実行する、
風力タービン（１００）または風力発電所（１１２）。
【請求項１２】
請求項１から１０のいずれか１項に記載の方法を実行する、
コントロールセンタ（１４）。
【請求項１３】
請求項１１に係る複数の風力タービン（１００）および複数の風力発電所（１１２）と、
請求項１２に係る単一のコントロールセンタ（１４）と、
を備えたシステム。
【発明の詳細な説明】
【技術分野】
【０００１】
本発明は、風力タービンおよび／または風力発電所間のコントロールセンタへのデータ伝送に関する。本発明は、さらに風力タービンまたは風力発電所と、コントロールセンタと、その方法を実行するための単一のコントロールセンタを有し複数の風力タービンまたは風力発電所からなるシステムとに関する。
【背景技術】
【０００２】
風力タービンは、運転中の風力タービンの制御または調整を支援するために役立つ多数のセンサを有している。これらのセンサは、さらに、風力タービンの状態を判定するために、保守作業中またはサービスインターバル中に使用される履歴データを記録するために役立つ。さらに、センサデータは、風力タービンの現在の動作状態を荒たすために役立つ。
【０００３】
性能および状態データのようなタービン固有のデータとともに、センサは、例えば、風力タービンを制御および調整するために役立つ風速および風向などの環境データも記録するが、他方では、例えば、天気予報を決定するため、あるいは天気履歴を記録するために、気象サービスのデータとしても重要である
よって、風力タービンの中には、風力タービンのセンサによって記録されたデータを、例えば、モデムリンクを介して、遠隔地で取り出すことを可能にする遠隔の尋問設備（interrogation facility）が既に装備されているものがある。さらに、風力タービンは、特定の時刻に選択されたセンサデータが、モデムリンクによって、遠隔地、例えばオペレータに送信されることが知られている。従って、前記オペレータは、その風力タービンの運転履歴の概要が提供される
しかしながら、この種の方法は、例えば、前日のような履歴データだけが送信され、現在のデータは直接的または容易に利用可能でないという欠点を有する。しかしながら、現在のデータは、特に、測定値が正常値と異なる場合、例えば、風力タービンの動作に関して即時の動作が取られるように、サービス員によって使用されるために非常に重要である。
【０００４】
さらに、例えば、気象データ等の風力タービンの現在のセンサデータは、グリッドの最もインテリジェントな可能性がある制御、すなわち、例えば、グリッド内の電気エネルギー発生器を実現するためにも有用である。
しかしながら、全ての風力タービンのセンサデータが連続的に評価される場合、これは限られた帯域幅だけを提供する評価装置およびデータラインのオーバーロードを招く。
【０００５】
したがって、本発明の目的は、多数の風力タービンおよび／または風力発電所のセンサからのデータをさらに利用できるようにすることである。さらなる目的は、風力タービンから最新の可能性があるデータを受信し、利用可能にされたデータ回線帯域幅がデータ量のために超えられないことを考慮に入れることである。
ドイツ特許商標庁は、本出願の優先権主張出願において、以下の先行技術を認識している。よって、本発明は、複数の風力タービンおよび／または複数の風力発電所からコントロールセンタへデータ記録を伝送する方法を備えている。この目的のために、本方法は、以下のステップを備えている。
【先行技術文献】
【特許文献】
【０００６】
【特許文献１】米国特許出願公開第２００９／００１０２３３号明細書
【特許文献２】米国特許公報第８，５６８，０９９号明細書
【非特許文献１】Padhye, Jitendra: “A TCP-friendly rate adjustment protocol for continuous media flows over best effort networks”
【非特許文献２】Padhye, Jitendra: “A TCP-Friendly Rate Adjustment Protocol for Continuous Media Flows over Best Effort Networks CMPSCI Technical Report TR 98-047”
【発明の概要】
【発明が解決しようとする課題】
【０００７】
更新されたデータ記録の存在の通知は、最初に、風力タービンまたは風力発電所の１つからコントロールセンタに送られる。次に、コントロールセンタは、更新されたデータ記録が要求されるべきかどうかを決定する。更新されたデータ記録が要求されると、更新されたデータ記録の要求が、コントロールセンタから、更新されたデータ記録の通知を以前にコントロールセンタに送信した風力タービンまたは風力発電所に送られる。その後、その要求は風力タービンによって受信され、更新されたデータ記録を有する応答が、コントロールセンタに送信される。
【０００８】
このように、コントロールセンタは、インターネットを介してＰＣとダイヤルインすることにより、ユーザ、サービス要員または他の許可された人がそれにアクセスすることができる接続された風力タービンの全てのセンサデータを収集する。
コントロールステーションまたは測定ステーションとも呼ばれるコントロールステーションは、計測値またはデータ記録を検索および収集するための技術装置、特にコンピュータである。コントロールセンタまたはコントロールステーションは、測定値またはデータ記録を格納、処理または転送するように構成される。コントロールステーションはさらに、測定値または処理された測定値を表示または取り出すことができるようにインターフェースを提供する。さらなる端末装置は、測定値またはデータ記録を表示および検索するためのデータ線を介して、コントロールセンタに接続される。したがって、風力タービンまたは風力発電所の更新されたデータ記録が利用可能であるときはいつでも、この更新されたデータ記録の存在をコントロールセンタに知らせるために、コントロールセンタに通知が送られる。
【０００９】
データ記録は、特に、風力タービンまたは風力発電所のセンサの個々の測定値、風力タービンまたは風力発電所の複数のセンサの複数の測定値、または風力発電所の複数の風力タービンの複数のセンサからの複数の測定値を含む。したがって、風力発電所のデータ記録は、例えば、風力発電所の全ての風力タービンの発電機の領域で測定される複数の温度値を含む。
【００１０】
したがって、例えば、データ記録が、単一の測定値だけを含み、センサが新しい測定値を送信する場合には、更新されたデータ記録の通知がコントロールセンタに送られる。複数の測定値が１つのデータ記録に結合されている場合、更新されたデータ記録の通知は、例えば、全てのセンサがこのデータ記録の新しい測定値を通知するまで、または少なくとも所定の数の新しいデータ記録の測定値が存在するまで、送信されない。しかしながら、複数の測定値が１つのデータ記録に結合され、単一の新しい測定値のみがデータ記録のためのセンサによって送信された場合、更新されたデータ記録の通知が既に発送されている可能性がある。
【００１１】
したがって、更新されたデータ記録のこの通知は、更新されたデータが利用可能であるという指示にのみ対応する。測定データまたはセンサデータ自体は、まだこの通知とともに送信されていない。したがって、通知は、本質的に、更新されたデータ記録が存在する風力タービンまたは風力発電所を特定する情報と、データ記録に含まれる測定データのみを含む。
【００１２】
次のステップでは、コントロールセンタは、現在、特定の風力タービンまたは風力発電所から現在利用可能である更新されたデータ記録が現時点で要求されるべきか否かを決定する。コントロールセンタが、更新されたデータ記録が要求されるべきであると判断した場合、コントロールセンタは、このデータ記録の要求を、対応する風力タービンまたは風力発電所に送信する。
【００１３】
したがって、この方法によれば、コントロールセンタは、風力タービンまたは風力発電所の更新された測定値を、さらなる使用のために、それらが利用可能になった直後に要求することが可能である。しかしながら、コントロールセンタは、これらのデータが現在の時点で必要であるかどうか、またはデータの要求が単にデータラインの余分な負荷を表すかどうかを同時に決定し、従って、優先順位の高いデータの帯域幅が制限される。
【００１４】
本発明の第１の実施形態によれば、更新されたデータパケットが要求されるべきかどうかに関して、コントロールセンタにおいて判断される際に、更新されたデータ記録の要求が最後に出された後、またはこの風力タービンまたは風力発電所からのデータ記録を有する最後の応答の受信以来、更新されたデータ記録の通知が起きた風力タービンまたは風力発電所に割り当てられた時間間隔が経過したかどうかを確かめるために、チェックが実行される。
【００１５】
時間間隔が経過した場合には、更新されたデータ記録は、要求を送り出すことによってリクエストされる。時間間隔がまだ経過していない場合には、更新されたデータ記録の通知は、無視される。
従って、時間間隔は、データ接続によってコントロールセンタに接続可能なそれぞれの風力タービンおよび／またはそれぞれの風力発電所のコントロールセンタに保存される。従って、この時間間隔は、更新されたデータがリクエストされるべきか否かをコントロールセンタが決定することを可能とするように有利に働く。
【００１６】
したがって、風力タービンまたは風力発電所の更新された測定値が非常に頻繁にまたは多数で利用可能であっても、これらの測定された値は、風力タービンまたは風力発電所の時間間隔から導かれる最大周波数を有するデータ記録ベースによってデータ記録上でのみ取り出されることが保障される。
さらなる実施形態によれば、データ接続によって接続可能なそれぞれの風力タービンおよび／またはそれぞれの風力発電所に、時間間隔が割り当てられる。この時間間隔は、この実施形態に従って変更される。異なる風力タービンまたは風力発電所の更新されたデータ記録の優先順位付けを可能とするために、可変の時間間隔を用いて、計器が提供される。
【００１７】
さらなる実施形態によれば、それぞれの時間間隔、すなわち時間間隔の持続時間は、コントロールセンタによって自動的に調整され、および／または時間間隔は手動で調整される。
したがって、時間間隔は自動的に調整されることができ、この目的のために、コントロールセンタにおいて多種多様なプログラムシーケンスまたは機構が考慮され得る。さらに、ユーザは、時間間隔および優先順位を手動で調整することもできる。
【００１８】
さらなる実施形態によれば、風力タービンまたは風力発電所の時間間隔は、無負荷動作モードとも呼ばれるデフォルト動作モードにおけるデフォルト持続時間を含む。ユーザが風力タービンまたは風力発電所からデータを要求する場合には、このデフォルト期間は、デフォルト動作モードからアクセス動作モードに切り替えることによって短縮される。時間間隔は、ここでは、例えば、ユーザによって要求されることにより、所定の最小値、すなわち最小の持続時間に短縮される。
【００１９】
よって、最後の更新でコントロールセンタに送信されたデータは、風力タービンにアクセスすると、既にユーザに利用可能な状態となる。しかし、時間間隔の短縮のために、ユーザは、アクセス時から関連する風力タービンまたは風力発電所の更新されたデータを常に、または少なくともできるだけ迅速に通知される。
さらなる実施形態によれば、更新されたデータ記録の通知および更新されたデータ記録の返信は、いずれの場合でも風力タービンまたは風力発電所に割り当てられたコンピュータ、またはその一部を形成するコンピュータによって発送される。特に、このコンピュータは、SCADAシステムと略称される監視制御およびデータ収集システムの一部を形成する。
【００２０】
したがって、例えば、バスシステムを介して風力タービンに接続可能なコンピュータが、１つ以上の風力タービンに提供される。風力タービンまたは風力タービンのセンサデータは、それに応じて風力タービンのコンピュータまたは風力タービンの風力タービンに、風力タービンまたは風力タービンとコンピュータとの間の接続手段によって転送される。したがって、コンピュータは、風力タービンまたは風力発電所の一部を形成する。
【００２１】
コンピュータはさらに、例えば、以前の値と異なる新しい測定データまたはセンサデータがいつ存在するかを検出するように構成される。風力タービンまたは風力発電所のコンピュータは、更新されたデータ記録の通知を、例えばTCP/IP接続であるデータ接続によってコントロールセンタに送信する。
さらなる実施形態によれば、コントロールセンタからの着信要求を連続的に、すなわち、それらの受信順に処理する。この処理は、“FIFO”、すなわち“先入れ先出し（First In First Out）”と呼ばれる。さらに、コントロールセンタと、風力タービンおよび／または風力発電所の各コンピュータとの間における往復遅延または信号通過時間は、この実施形態に従って決定される。
【００２２】
この目的のために、往復遅延または信号遅延または信号通過時間を決定するために、反復サイクルは、それぞれの場合において、コントロールセンタにおいて各コンピュータごとに所定の周波数で実行される。各サイクルにおいて、所定のデータパケットがコントロールセンタから対応するコンピュータに送信され、要求の逐次処理のために、コンピュータは、以前に受信したデータパケットが処理された後、データパケットの処理を行う。
【００２３】
往復遅延または信号通過時間を決定するための所定のデータパケットの処理の後、または処理中に、コンピュータは、コントロールセンタへ応答を送信する。データパケットの送り出しとデータパケットへの応答の受信との間の時間間隔は、コントロールセンタにおいて決定され、時間間隔の持続時間が調整、すなわち、測定期間の時間に応じて、不変、短縮される、または延長される。
【００２４】
したがって、一方で、コントロールセンタとコンピュータとの間の接続ラインの品質、他方で、コンピュータ自体の利用が決定される。時間間隔は、これらの要因の両方に応じて調整されるため、データ接続の帯域幅もコンピュータの処理能力も過度に使用されることはない。
最後に述べた実施形態は、これまでに送り出された依頼には未だ全く応えられていないとしても、風力タービンまたは風力発電所のコンピュータからのデータの継続的な要求を防止する。コントロールセンタに転送されたデータは、実際には、未応答の要求が蓄積された結果、特定の過負荷ポイントを超えて、もはや最新ではなくなるであろう。
【００２５】
さらなる実施形態によれば、風力タービンまたは風力発電所（wind park）のうちの１つの時間間隔を調整するために、この風力タービンまたは風力発電所、特に、風力タービンまたは風力発電所のコンピュータに送られる要求と、風力タービンまたは風力発電所から受信される応答の数との間の差は、コントロールセンタにおいて決定される。したがって、この差は、更新されたデータ記録の未回答の要求に対応する。時間差は、この差異に基づいて調整、すなわち、変更され、短縮され、または延長されたままにされる。
【００２６】
よって、データ要求に対する応答速度は、前の実施形態で説明された往復遅延または信号通過時間の決定に代えて、または加えて決定される。したがって、コンピュータと、コンピュータとコントロールセンタとの間における接続ラインとの利用は、最後の実施形態において特定された方法によって考慮されることができるため、時間間隔を長くすることによって過負荷を打ち消すことができ、時間間隔を短くすることによって、コントロールセンタに最新の可能性のあるデータが存在することが再び保証される。
【００２７】
さらなる実施形態によれば、差異を決定するために、各コンピュータのコントロールセンタにおいて、それぞれのケースで、繰り返しサイクルが実行される。各ケースにおいて、差を決定するこのタイプのサイクルは、更新されたデータ記録の通知が受信されるたびに、または所定の頻度で、風力タービンまたは風力発電所について繰り返し実行される。よって、時間間隔は定期的に調整される。
【００２８】
さらなる実施形態によれば、風力タービンまたは風力発電所の１つについて差が決定されるそれぞれのケースにおいて、風力タービンまたは風力発電所の時間間隔は、決定された差に従って調整される。
この目的のために、一度、その差が決定されると、その差は上限および下限の閾値と比較される。もし、上限閾値に達するかまたは超えた場合には、時間間隔は、所定のステップ幅だけ長くなり、下限閾値に達するか下回った場合には、時間間隔は、所定のステップ幅だけ短くなる。よって、時間間隔の段階的な調整が可能になる。
【００２９】
さらなる実施形態によれば、時間間隔が所定の最大値、すなわち最大時間期間に対応するか、または前記時間期間をさらに超えるかを確立するために、差が決定される各サイクルにおいてチェックが追加的に実行される。最大値に達するか超えた場合、コントロールセンタから警告信号が発せられる。この警告信号は、例えば、警告信号に基づいて風力タービンまたは風力発電所および／または風力タービンまたは風力発電所のコンピュータ上のデータラインの点検を行うことができるサービス員に直接送られる。
【００３０】
本発明は、さらに前述の方法の実施形態を実施するための少なくとも１つの風力タービンまたは風力発電所を含む。本発明は、さらにこの方法の実施形態を実施するための複数の風力タービンおよび／または風力発電所を備えたコントロールセンタおよびシステムを含む。
さらなる実施形態では、詳細に説明される例示的な実施形態の図面を参照して説明される。
【図面の簡単な説明】
【００３１】
【図１】風力タービンを示す図。
【図２】コントロールセンタに接続されたコンピュータを有する風力発電所を示す図。
【図３】本伝送方法の例示的な実施形態の概略フローを示す図。
【図４】時間間隔を調整する例示的な実施形態のシークエンスを示す図。
【発明を実施するための形態】
【００３２】
図１は、本発明に係る風力タービンの概略図を示している。風力タービン１００は、タワー１０２上にナセル１０４を有する。ナセル１０４には、３つのロータブレード１０８とスピナ１１０とを有する空力ロータ１０６が設けられている。風力タービンの運転中に、空力ロータ１０６は、風によって回転運動するように設定され、したがって空力ロータ１０６に直接的または間接的に結合された発電機のロータまたは巻線を回転させる。発電機は、ナセル１０４内に配置され、電気エネルギーを生成する。ロータブレード１０８のピッチ角は、それぞれのロータブレード１０８のロータブレード根元上のピッチモータによって変更することができる。
【００３３】
図２は、一例として、３つの風力タービン１００を有する風力発電所１１２を示しているが、風力発電所は同一であっても異なっていてもよい。したがって、３つの風力タービン１００は、本質的に、風力発電所１１２の任意の数の風力タービンを表す。風力タービン１００は、それらの電力、すなわち、特に、発生した電流を、電気風力発電所グリッド１１４を介して供給する。それぞれの場合に生成された個々の風力タービン１００の電流または電力が一緒に加算され、変圧器１１６が通常設けられ、風力発電所の電圧をステップアップさせ、次にこれをフィードインポイント１１８に供給する。ＰＣＣとして供給グリッド１２０に供給される。図２は、コントローラが明らかに存在するが、例えば、コントローラを示さない風力発電所１１２の簡略化された表現に過ぎない。風力発電所グリッド１１４は、例えば、１つの異なる例示的な実施形態に名前を付けるために、各風力タービン１００の出力部に変圧器も存在する点で、異なるように設計されてもよい。
【００３４】
図２は、さらにSCADAコンピュータとも呼ばれ、バスシステム１２を介して個々の風力タービン１００にそれぞれ接続されたコンピュータ１０を示している。さらに、図２は、コントロールセンタ１４を示し、コントロールセンタ１４とコンピュータ１０とは接続部１６を介して相互接続されている。接続１６は、例えば、TCP/IP接続に対応する。
図２において、１つの風力発電所１１２が、コントロールセンタ１４に接続されている。複数の風力発電所１１２は、複数の風力タービン１００を持つそれぞれのケースにおいて、実際にコントロールセンタ１４に接続される。図２は、さらにコンピュータ１０に接続された３つの風力タービン１００を示している。風力発電所１１２に加えて、接続１６を介してコントロールセンタ１４に順番に接続されたそれ自身のコンピュータ１０を有するそれぞれのケースにおいて、個々の風力タービン１００も考えられる。コンピュータ１０とコントロールセンタ１４との間の接続部１６は、ここでは比較的、非常に短いものとして示されているが、実際には、数百キロメートル、または数千キロメートルの長さであってもよい。
【００３５】
接続１６は、さらに、コンピュータ１０とコントロールセンタ１４との間の直接接続として示されており、メッセージ転送またはデータ転送ドメインからの多数のさらなる電子構成要素が、実際の伝送ラインに明らかに挿入されている。接続１６は、ここでは線として示されており、この表現も一例であって、接続１６も無線リンクを含んでいてもよい。
図３は、風力タービン１００から、ユーザ、例えば、メンテナンス担当者がセンサデータを表示することが可能なユーザの電子デバイス２０へのデータ送信の例示的な実施形態を示している。
【００３６】
風力タービンの領域、すなわち風力タービン１００の塔の中に直接、または風力タービン１００の周り、数メートルから数キロメートルの半径内、例えば、風力タービンノードポイント、に配置された風力タービン１００のコンピュータ１０は、風力タービン１００のセンサ（図示せず）と電子デバイス２０との間に配置される。コンピュータ１０は、コントロールセンタ１４に接続され、コントロールセンタ１４は、順に、電子デバイス２０に接続される。
【００３７】
ログインステップ２２において、コントロールセンタは、風力タービン１００のコンピュータ１０にログインする。ログインデータ２３がコンピュータ１０において確認できた場合には、ログインの確認２４が、コントロールセンタ１４へ送られる。
そして、ループ２６内で連続的に保持されるコンピュータとコントロールセンタとの間のデータ接続が構成される。このループ２６内において、コンピュータ１０は、風力タービン１００から所定の周波数で時間を合わせた２８個の新しいセンサデータを連続的に要求する。それに応じて、風力タービン１００は、要求されたデータ３０をコンピュータ１０に送信する。風力タービン１００からのこれらのデータが同じセンサから先に受信したデータと異なる場合には、コンピュータ１０は、更新されたデータ記録が、風力タービン１００から存在することを、コントロールセンタ１４への通知３２を送信（３１）することによって通知する。
【００３８】
この通知３２は、コントロールセンタ１４に送られ、後者によって受信される（３３）。次に、コントロールセンタ１４は、更新されたデータ記録が要求されるべきかどうかを決定する。データ記録が要求される場合、要求３４は、コントロールセンタ１４からコンピュータ１０に発信（３５）され、要求３４の受信３６に続いて、更新されたデータ記録を有する返信３８が、風力タービン１００のコンピュータ１０からコントロールセンタ１４に送られる（３９）。次に、更新されたデータ記録は、コントロールセンタ１４によって受信（４０）され、さらなる通知４１によって電子デバイス２０に転送される。
【００３９】
コンピュータ１０が風力タービンから新しいデータ３０を受信するときはいつでも、それに応じて通知３２が更新されたデータ記録を介して送信（３１）される。図３に示すさらなるステップまたはデータ送信ステップ３１〜３５は、コントロールセンタ１４が、更新されたデータ記録が要求されるべきであると決定した場合のみに実行される。
次に、コントロールセンタ１４において、更新されたデータが要求されるべきか、または、そのデータが要求されないのかを決定するために、時間間隔は、風力タービン１００または風力発電所１１２ごとに予め定められる。更新されたデータ記録の通知３２の受信３３において、更新されたデータ記録の最後の受信４０からの時間間隔がすでに経過しているかどうかを確認するために、時間間隔とともにコントロールセンタでチェックが実行される。時間間隔が経過すると、新しい更新データ記録が要求（３５）され、さもなければ、更新されたデータ記録の通知３２は無視される。
【００４０】
それぞれの風力タービン１００または風力発電所１１２の時間間隔は、以下の図４に示されるように、コントロールセンタ１４において変更される。
図４は、風力タービンの時間間隔の変化または調整を示す。既に説明したように、調整された時間間隔は、更新データが、時間間隔が割り当てられた風力タービン１００または風力発電所１１２から要求されるべきであるか否かを決定するために、コントロールセンタ１４によって使用される。
【００４１】
時間間隔は、予め定められたデフォルト期間に対応するように、条件４２において選択される。時間間隔のこのデフォルト期間は、ここで考慮された時間間隔が割り当てられる風力タービン１００または風力発電所１１２のデータへのアクセスが、例えば、ユーザによって、ステップ４３において要求されるまで、保持される。
データが要求されると、それ以上のアクセスが要求されなくなるまで、例えば、所定の周波数でループ４４が繰り返される。デフォルト条件４２は、デフォルト期間またはデフォルト期間でもう一度選択される。
【００４２】
ループ４４が最初に実行される前に、ステップ４６において、時間間隔が最小値に設定される。次のステップ４８では、ループ４４のステップにおいて、風力タービン１００または風力発電所１１２のコンピュータ１０に現在送られている要求３４と、これらの要求に対する受信された応答３８との間の差異が決定される。よって、この差異に対応するまだ応答されていない要求３４の数が決定される。
【００４３】
そして、まず、差を下限閾値と比較（５０）し、下限閾値が過小である場合、ステップ５２において時間間隔を短縮する。そして、ステップ４８において、差がもう一度決定される。この差は、ステップ５２において、下限閾値が過小である限り、減らされる。下限閾値がもはや過小ではない場合、その差は上限閾値と比較（５４）し、この上限閾値を超えていなければ、その差がもう一度求められ、比較５０および５４が繰り返される。
【００４４】
上位閾値との差の比較５４が上限閾値を超えていることを示す場合には、間隔の持続時間が最大値に達したかそれを超えたかを確認するためにステップ５６でチェックが実行される。最大値を超えていない場合には、ステップ４８でもう一度差が決定される。
最大時間間隔持続時間、すなわち時間間隔の最大持続時間に達すると、警報が送信（６０）される。警告の送信６０に続いて、風力タービン、すなわち、例えば風力タービン１００のコンピュータ１０への接続が再び設定（６４）され、新たな接続設定が不可能な場合、接続は完全にクリアされる（６６）。
【００４５】
従って、本発明は、コンピュータ１０とコントロールセンタ１４との間で送信されるデータ量を、データ線の過負荷が回避されるように制御することを可能にする。
【図１】
0006538267.tif 000002
【図２】
0006538267.tif 000003
【図３】
0006538267.tif 000004
【図４】
0006538267.tif 000005